(57)【特許請求の範囲】
【請求項１】
複数のペン体を有し、軸筒に設けたインク貯蔵部内のインクをペン体に供給するマーキングペンにおいて、
ペン体はインクを導通する材料からなり、
複数のペン体同士が直接接して前記インク貯蔵部内のインクがペン体に導通可能に連結され、複数のペン体がペン体毎にキャップによってペン先を隠蔽・開放するようになっており、複数のペン体のうちで一つがキャップを軸筒に対して回転方向に捻ることによりペン先が開放し、複数のペン体のうちで他の一つが軸筒から軸線方向に引くことによりペン先が開放する構造になっていると共にキャップの外周には稜線を突出形成されていることを特徴とするマーキングペン。
【請求項２】
前記複数のペン体の毛細管力を異ならせ、インク貯蔵部に近いペン体の毛細管力をインク貯蔵部から遠いペン体の毛細管力より高いものとすることを特徴とする請求項１に記載のマーキングペン。
【発明の詳細な説明】
【技術分野】
【０００１】
本発明は、ペン体にインクを送って筆記する筆記具や化粧品を塗布する塗布具等のマーキングペンに関する。
【背景技術】
【０００２】
従来、マーキングペンには、ペン体を複数備えて、ペン先の劣化などに応じてペン体を交替し使用できるようにしたものがある。
【０００３】
例えば、実開平１−４８２９４号公報（特許文献１）記載の筆や実公平５−２８０６９号公報（特許文献２）記載の筆記具においては、インク吸蔵体とペン体を短い軸筒体に収容して、その軸筒体を縦列に接続し、所望するペン体を先端部に繋いで使用できるようにしている。しかしながら、各筆記体では乾燥等により、部分的に筆記不能となってしまうことがあり、使い勝手が悪い。
【０００４】
特開昭６０−９４３９８号公報（特許文献３）記載の筆記具では、ペン体が直結しているが、ボールペン等ではインク導通供給が十分でないおそれがある。
【０００５】
また、特開２０００−２３８４８９号公報（特許文献４）記載の筆記具では、ペン体を取り外す際に、持つ場所によっては、使用者の予期せぬペン先を選択するおそれがある。
【先行技術文献】
【特許文献】
【０００６】
【特許文献１】実開平１−４８２９４号公報
【特許文献２】実公平５−２８０６９号公報
【特許文献３】特開昭６０−９４３９８号公報
【特許文献４】特開２０００−２３８４８９号公報
【発明の概要】
【発明が解決しようとする課題】
【０００７】
本発明は、斯かる実情に鑑み、複数のペン体を縦列で設けて、ペン先を簡単に交換でき、ペン先のインクが乾きにくいマーキングペンを提供しようとするものである。
【課題を解決するための手段】
【０００８】
本発明は、複数のペン体を有し、軸筒に設けたインク貯蔵部内のインクをペン体に供給するマーキングペンにおいて、
ペン体はインクを導通する材料からなり、
複数のペン体同士が直接接して前記インク貯蔵部内のインクがペン体に導通可能に連結されていることを特徴とするマーキングペンである。
【０００９】
本発明において、複数のペン体がペン体毎にキャップによってペン先を隠蔽・開放するようになっており、
ペン先を閉鎖する各キャップが互いに異なる方向で開放する構造になっていることが好適である。
【００１０】
また、本発明において、複数のペン体のうちで一つがキャップを軸筒に対して回転方向に捻ることによりペン先が開放し、複数のペン体のうちで他の一つが軸筒から軸線方向に離して引くことによりペン先が開放する構造になっていることが好適である。
【発明の効果】
【００１１】
本発明において、複数のペン体同士が直接接して前記インク貯蔵部内のインクがペン体に導通可能に連結されているので、インクを十分に導通可能として乾きにくくなる。
【００１２】
また、本発明において、複数のペン体のうちで一つがキャップを軸筒に対して回転方向に捻ることによりペン先が開放し、複数のペン体のうちで他の一つが軸筒から軸線方向に離して引くことによりペン先が開放する構造になっているものとして、取り外し方向を変える構造にすれば、ペン先の選択が容易かつ取り外し間違えを無くすことができる等の優れた効果を奏し得る。
【図面の簡単な説明】
【００１３】
【図１】本発明の実施形態に係るマーキングペンのキャップした状態の構成説明図であり、（ａ）が側面図、（ｂ）が同状態の縦断面図、（ｃ）が（ａ）から軸中心に９０°回転させた状態の側面図、（ｄ）が（ｃ）の状態の縦断面図である。
【図２】図１のマーキングペンの先端のキャップを回転させて外し、第１のペン先が露出した状態の説明図であり、（ａ）〜（ｄ）は図１の各図と同様状態を示す。
【図３】図２の状態から先軸キャップを外して第２のペン先を露出した状態の説明図であり、（ａ）〜（ｄ）は図１の各図と同様状態を示す。
【図４】図１の状態から、キャップ及び先軸キャップを先軸から引き離して、第２のペン先を露出させた状態を示す図である。（ａ）〜（ｄ）は図１の各図と同様状態によって示す。
【図５】図２で外したキャップの部品図であり、（ａ）が軸線方向の前方からの視図、（ｂ）が前方からの斜視図、（ｃ）が稜線を下にした側面図、（ｄ）が稜線側から見た側面図、（ｅ）が稜線を上にした断面図、（ｆ）が（ｅ）の状態の側面図、（ｇ）が後方からの視図、（ｈ）が後方からの斜視図である。
【図６】図３で外した先軸キャップの部品図であり、（ａ）が軸線方向の前方からの視図、（ｂ）が前方からの斜視図、（ｃ）が稜線を手前側にした側面図、（ｄ）が縦断面図、（ｅ）が稜線を上にした側面図、（ｆ）が（ｅ）の状態の縦断面図、（ｇ）後方からの視図、（ｈ）が後方からの斜視図である。
【発明を実施するための形態】
【００１４】
以下、本発明の実施形態を添付図面の参照にて説明する。
【００１５】
図１〜図４は、実施形態のマーキングペンの説明図、図５がキャップ体、図６が先軸キャップの部品図である。
【００１６】
図１〜図４に示すようにマーキングペンは、二つ（複数の例）ペン体１０、１２を有し、軸筒１４内空間に設けたインク貯蔵部１６内のインクを各ペン体１０、１２に供給するものである。
【００１７】
実施形態では、軸筒１４の先端部１４ａに設ける先軸キャップ２０は、先軸２２を覆って着脱自在に嵌着している。該先軸２２の後部が軸筒１４の先端部１４ａに被せて螺合・結合して固定している。軸筒１４の先端部１４ａ内に弁構造２４が装着されている。
【００１８】
〔第１のペン体１０、第２のペン体１２〕
二つのペン体（第１のペン体１０、第２のペン体１２）はインクを導通する材料からなる。第１のペン体１０は先端が弾頭形状に先細の形状であり、第２のペン体１２は左右両側が削られて板状に先細になる先端形状である。第１のペン体１０及び第２のペン体１２は、材質は天然繊維、合成繊維の束や連続多孔体や樹脂製の成形芯等種々に使用することができる。
【００１９】
先軸キャップ２０を先軸２２に嵌めた状態では、二つのペン体（第１のペン体１０、第２のペン体１２）同士が直接接して前記インク貯蔵部１６内のインクがペン体（第１のペン体１０、第２のペン体１２）に導通可能に連結されている。
【００２０】
また、二つのペン体（第１のペン体１０、第２のペン体１２）毎にキャップ（キャップ１８、先軸キャップ２０）によってペン先（第１のペン先１０ａ、第２のペン先１２ａ）を隠蔽・開放するようになっており、各ペン先を閉鎖する各キャップ（キャップ１８、先軸キャップ２０）が互いに異なる方向で開放する構造になっている。
【００２１】
上記の互いに異なる方向で開放する構造として、実施形態においては、上記ペン体（第１のペン体１０、第２のペン体１２）のうちで一つの第１のペン体１０について、キャップ１８を軸筒１４に対して回転方向に捻ることにより当該ペン先１０ａを開放する構造とし、また、上記ペン体のうちで他の一つの第２のペン体１２について、先軸キャップ２０を軸筒１４から軸線方向に離して引くことによりペン先１２ａを開放する構造として実現している。
【００２２】
各部を詳細に説明する。
〔キャップ１８〕
キャップ１８は、図５に示すように、外側が筒状の外筒で、その外筒の内側に外筒よりも短い筒状の内筒が設けられ、外筒と内筒が先端部の底部で共通して一体になった二重筒状を呈している。また、外筒には、外周面の一部に軸線方向に沿う稜線１８ａが突出形成されていて、この稜線１８ａは指にて捻る際の滑り止めの機能を有する。また、外筒の後端１８ｂは中心軸に対して斜めの端縁形状を呈している。
【００２３】
なお、キャップ１８の内筒と外筒の内部は気密を保つための嵌着部が形成されている。図１に示すように、当該内筒が先軸キャップ２０の先端に嵌着して第１のペン体１０の気密を保持し、外筒が先軸キャップ２０の外周に嵌着する。
【００２４】
〔先軸キャップ２０〕
先軸キャップ２０は、図６に示すように、先細い先後に貫通する中空の筒体であり、先端部２０ａが細く先端部２０ａ内に第１のペン体１０を支持するリブが形成されている。第１のペン体１０は先軸キャップ２０内で進退動可能に設置されている。また、先軸キャップ２０の後端部２０ｂが一番太径に段状に太くなる部分であり、その段状面２０ｃは中心軸に対して斜めの端縁形状を呈している。後端部２０ｂの外周には、稜線２０ｄが形成されている。
【００２５】
前記キャップ１８を先軸キャップ２０に嵌めているときに、キャップ１８の後端１８ｂが先軸キャップ２０の段状面２０ｃに当接している。前記キャップ１８を先軸キャップ２０に対して捻ることで、キャップ１８の後端１８ｂが先軸２０の段状面２０ｃに対して滑り当たりキャップ１８が先軸キャップ２０から離れる方向に力が生じてそれらが離れる。図２に示すように、キャップ１８が外れると、第１のペン体１０のペン先１０ａが露出する。
先軸キャップ２０の後端部２０ｂは、先軸２２全体の外周に着脱自在に嵌着している。
【００２６】
〔先軸２２、弁構造２４〕
先軸２２は、図３に示すように、先端部２２ａ、中央部２２ｂ、後端部２２ｃが順に段状に拡径した、概略管状構造であり、先端部２２ａに第２のペン体１２が突出して進退動可能に設置されている。中央部２２ｂ内には、インクを含浸可能なインク保留体２６があり、後端部２２ｃ内に弁構造２４が配置される。
【００２７】
弁構造２４は、図２、図３に示すように、先後の開口が連通する弁座２４ａと、その弁座２４ａに対して進退動して開閉する弁体２４ｂと、当該弁体２４ｂを先方に付勢するスプリング２４ｃとを有している。
【００２８】
弁体２４ｂは、先端に前記第２のペン体１２の後端部が当接しており、第２のペン体１２が後方に移動すると、弁座２４ａが開口して、その弁座２４ａ内をインクが流通して第２のペン体１２に供給されるようになっている。
【００２９】
〔インク貯蔵部１６〕
インク貯蔵部１６は、軸筒１４内部の空間にインクを貯留する構造であり、当該空間内には、攪拌ボール２８を内装してインクの沈降を防止している。顔料等の沈降する成分を含むインクが十分に攪拌できるようにしている。
【００３０】
〔マーキングペンの作用〕
本実施形態のマーキングペンにおいては、第１のペン体１０の使用以前には、図１に示すように、キャップ１８が先軸キャップ２０に被せられていて、第１のペン体１０のペン先１０ａが露出していない。第１のペン体１０は第２のペン体１２に接しており、インクが流通するようになっている。
【００３１】
そして、第１のペン体１０の使用に際して、キャップ１８を捻って先軸キャップ２０から取り去り、図２に示すように、第１のペン体１０のペン先１０ａを露出させる。
【００３２】
この場合、複数のペン体１０，１２同士が直接接して、具体的には、第１のペン体１０後端が第２のペン体１２先端に接しており、インクが流通するようになっている。インクを流通させるには、第１のペン体１０を紙面等の当接面に押圧して第１のペン体１０を後退させて第２のペン体１２を介して、弁機構２４の弁体２４ｂが弁座２４ａに対して後退させ開弁させる。インクは弁体２４ａの先方の第２のペン体１２から第１のペン芯１０に含浸・誘導されてペン先１０ａから筆記や塗布が可能なる。
【００３３】
上記構成によって前記インク貯蔵部１６内のインクが第２のペン体１２を介して第１のペン体１０に導通可能に連結されているので、第１のペン体１０にインクを十分に導通可能とすることができる。したがって、ペン体１０のペン先１０ａとペン体１２のペン先１２ａが共に乾きにくい。
【００３４】
また、軸筒１４に対して先軸キャップ２０を軸線方向に離れる方向に引くことにより、図３に示すように、先軸キャップ２０が先軸２２から離れて、取り去られる。先軸２２は、軸筒１４に対してネジ結合しているので、固定状態になっている。
【００３５】
インクを流通させるには、第２のペン体１２を紙面等の当接面に押圧して第１のペン体１２を後退させて、弁機構２４の弁体２４ｂが弁座２４ａに対して後退させ開弁させる。インクは弁体２４ａの先方の第２のペン体１２に含浸・誘導されてペン先１０ａから筆記や塗布が可能なる。
【００３６】
また、実施形態では、複数のペン体（第１のペン体１０、第２のペン体１２）のうちで一つの第１のペン体１０について、キャップ１８を軸筒１４に対して回転方向に捻ることにより当該ペン先１０ａを開放する構造とし、キャップ１８を軸筒１４に対して回転方向に捻ることによりペン先１０ａが開放し、複数のペン体のうちで他の一つが軸筒１４から軸線方向に離して引くことによりペン先１２ａが開放する構造になっているので、取り外し方向を変える構造であるので、ペン先１０ａ、１２ａの選択が容易かつ取り外し間違えを無くすことができる。
【００３７】
なお、上記実施形態においては、複数のペン体として第１のペン体１０と第２のペン体２と二つのペン体を上げたが、これは一例であり、三つ以上のペン体を設けてもよい。また、各ペン体の毛細管力を異ならせて筆記の際に違いを分かりやすくしてもよい。さらにインク貯蔵部に近いペン体の毛細管力をインク貯蔵部から遠いペン体の毛細管力より高いものとすることで、インク貯蔵部から遠いペン体のインク供給を安定させることができる。
【００３８】
また、複数のペン体を互いに異なる方向で開放する構造として、上記ペン体（第１のペン体１０、第２のペン体１２）のうちで一つの第１のペン体１０について、キャップ１８を軸筒１４に対して回転方向に捻ることにより当該ペン先１０ａを開放する構造とし、また、上記ペン体のうちで他の一つの第２のペン体１２について、先軸キャップ２０を軸筒１４から軸線方向に離して引くことによりペン先１２ａを開放する構造として実現している。
【００３９】
もちろんこの構造は一例であり、捻る構造と引く構造を逆に設定しても良い。また、両者とも捻ると開放する構造であって、逆の回転方向に捻ると開放する構造としたり、両者とも引く構造として、キャップ１８及び先軸キャップ２０の間の摩擦係数と、先軸キャップ２０及び先軸２６間の摩擦係数を異なる構造としたりしてもよい。
【産業上の利用可能性】
【００４０】
本発明のマーキングペンは、筆記用、塗布用以外にも化粧品と塗布する化粧用等種々に使用できる。
【符号の説明】
【００４１】
１０  第１のペン体
１２  第２のペン体
１４  軸筒
１６  インク貯蔵部
１８  キャップ
２０  先軸キャップ
２２  先軸
２４  弁機構
【図１】
0006600515.tif 000002
【図２】
0006600515.tif 000003
【図３】
0006600515.tif 000004
【図４】
0006600515.tif 000005
【図５】
0006600515.tif 000006
【図６】
0006600515.tif 000007